(57)【要約】      （修正有）【課題】アーチワイヤの取り付け作業をより容易にする歯列矯正ブラケットを提供する。【解決手段】後端面Ｓ１は付着に適しており、かつ前端面Ｓ２と対向している。第１および第２の側面は後端面と前端面との間に接続されている。通路２０３は第１の側面から第２の側面まで延伸する。通路の断面は、アクセス開口２０３Ａ、アーチワイヤスロット２０３Ｂ、通路部２０３Ｃ、および少なくとも１つの回転部２０３Ｄを含む。アクセス開口はアーチワイヤ３０を通路に進入させるように構成されている。アーチワイヤスロットはアーチワイヤを収容するように構成されている。通路部はアクセス開口とアーチワイヤスロットとをつなぐ。回転部は、通路部内に備えられてアーチワイヤにその向きを変えさせるようにする。【選択図】図５Ａ
2019072474.tif 000002
【特許請求の範囲】
【請求項１】
アーチワイヤと組み合わせて用いられて歯に矯正力を加える歯列矯正ブラケットであって、
付着に適した後端面と、
前記後端面に対向する前端面と、
前記後端面と前記前端面との間に接続された第１の側面と、
前記後端面と前記前端面との間に接続され、前記第１の側面に対向している第２の側面と、
前記第１の側面から前記第２の側面まで延伸する通路であって、前記通路の断面が、 アクセス開口、アーチワイヤスロット、通路部、および少なくとも１つの回転部を含み、前記アクセス開口は前記アーチワイヤを前記通路に進入させるように構成されており、前記アーチワイヤスロットは前記通路の末端部に形成されて前記アーチワイヤを収容し、前記通路部は前記アクセス開口および前記アーチワイヤスロットをつなげ、前記回転部は前記通路部内に備えられて前記アーチワイヤにその向きを変えさせるようにする、通路と、
を含む歯列矯正ブラケット。
【請求項２】
前記前端面が滑らかな曲面である、請求項１に記載の歯列矯正ブラケット。
【請求項３】
前記後端面、前記前端面、前記第１の側面、および／または前記第２の側面が、丸みのある端縁部を有するよう設計されている、請求項１に記載の歯列矯正ブラケット。
【請求項４】
前記回転部の幅が前記通路部の幅より大きい、請求項１に記載の歯列矯正ブラケット。
【請求項５】
前記通路部が弯曲している、請求項１に記載の歯列矯正ブラケット。
【請求項６】
前記通路部が真っ直ぐである、請求項１に記載の歯列矯正ブラケット。
【請求項７】
前記通路部が少なくとも１つの屈曲を含む、請求項１に記載の歯列矯正ブラケット。
【請求項８】
前記通路が、前記通路部中に別々に備えられた複数の回転部をさらに含む、請求項１に記載の歯列矯正ブラケット。
【請求項９】
前記アーチワイヤスロットが長方形の断面を有する、請求項１に記載の歯列矯正ブラケット。
【請求項１０】
前記第１の側面および／または前記第２の側面に形成されて、Ｏリングエラスティックを保持する少なくとも１つのノッチをさらに含む請求項１に記載の歯列矯正ブラケット。
【請求項１１】
前記通路が、前記通路部内に備えられ、前記アーチワイヤスロットに平行であり、少なくとも１つの補助アーチワイヤを収容する少なくとも１つの補助アーチワイヤスロットをさらに含む、請求項１に記載の歯列矯正ブラケット。
【請求項１２】
前記歯列矯正ブラケットの対向する端部に形成され、前記アーチワイヤスロットと前記後端面との間に位置し、パワーチェーンエラスティックを収容する少なくとも２つの溝をさらに含む請求項１に記載の歯列矯正ブラケット。
【請求項１３】
前記歯列矯正ブラケットの端部からその内部へ延伸して、アップライティングスプリング（uprighting spring）を収容する少なくとも１つの補助装置スロットをさらに含む請求項１に記載の歯列矯正ブラケット。
【請求項１４】
アーチワイヤと組み合わせて用いられ歯に矯正力を加える歯列矯正ブラケットであって、
付着に適した後端面と、
前記後端面に対向する前端面と、
前記後端面と前記前端面との間に接続された第１の側面と、
前記後端面と前記前端面との間に接続され、前記第１の側面に対向している第２の側面と、
前記第１の側面から前記第２の側面まで延伸方向に延伸する通路であって、前記通路の断面が、アクセス開口、アーチワイヤスロット、および曲線通路部を含み、前記アクセス開口は、前記アーチワイヤを前記通路に進入させるように構成されており、前記アーチワイヤスロットは、前記通路の末端部に形成されて前記アーチワイヤを収容し、前記通路部は、前記アクセス開口および前記アーチワイヤスロットをつなげており、前記通路部は、徐々に曲がると共にねじれる面により画成された少なくとも１つのねじれ部分をさらに含み、前記アーチワイヤは、前記ねじれ部分の曲がると共にねじれる面を通過するのに、前記通路の前記延伸方向から離れる方に向きを変えなければならない、通路と、
を含む歯列矯正ブラケット。
【請求項１５】
アーチワイヤと組み合わせて用いられ歯に矯正力を加える歯列矯正ブラケットであって、
付着に適した後端面と、
前記後端面に対向する前端面と、
前記後端面と前記前端面との間に接続された第１の側面と、
前記後端面と前記前端面との間に接続され、前記第１の側面に対向している第２の側面と、
前記第１の側面から前記第２の側面まで延伸方向に延伸する通路であって、前記通路の断面が、アクセス開口、アーチワイヤスロット、および曲線通路部を含み、前記アクセス開口は、前記アーチワイヤを前記通路に進入させるように構成されており、前記アーチワイヤスロットは、前記通路の末端部に形成されて前記アーチワイヤを収容し、前記通路部は、前記アクセス開口および前記アーチワイヤスロットをつなげており、前記通路部は、前記通路部内に形成された突起をさらに含み、前記アーチワイヤは、通過するためには前記突起周りに曲げられなければならない、通路と、
を含む歯列矯正ブラケット。
【請求項１６】
アーチワイヤと組み合わせて用いられ歯に矯正力を加える歯列矯正ブラケットであって、
後端面と、
前記後端面に対向する前端面と、
前記後端面と前記前端面との間に接続された第１の側面と、
前記後端面と前記前端面との間に接続され、前記第１の側面に対向している第２の側面と、
前記第１の側面から前記第２の側面まで延伸する通路であって、前記通路の断面が、アクセス開口、アーチワイヤスロット、および通路部を含み、前記アクセス開口は、前記アーチワイヤを前記通路に進入させるように構成されており、前記アーチワイヤスロットは、前記通路の末端部に形成されて前記アーチワイヤを収容し、前記通路部は、前記アクセス開口および前記アーチワイヤスロットをつなぎ、かつ弯曲した形状を有している、通路と、
を含む歯列矯正ブラケット。
【請求項１７】
アーチワイヤと組み合わせて用いられ歯に矯正力を加える歯列矯正ブラケットであって、
後端面と、
前記後端面に対向する前端面と、
前記後端面と前記前端面とこれらの間にて接続された第１の側面と、
前記後端面と前記前端面との間に接続され、前記第１の側面に対向している第２の側面と、
前記第１の側面から前記第２の側面まで延伸する通路であって、前記通路の断面が、アクセス開口、アーチワイヤスロット、通路部、および少なくとも１つのノッチを含み、前記アクセス開口は、前記アーチワイヤを前記通路に進入させるように構成されており、前記アーチワイヤスロットは、前記通路の末端部に形成されて前記アーチワイヤを収容し、前記通路部は、前記アクセス開口および前記アーチワイヤスロットをつなぎ、前記少なくとも１つのノッチは、前記第１の側面および／または前記第２の側面に形成されてＯリングエラスティックを保持する、通路と、
を含む歯列矯正ブラケット。
【請求項１８】
前記少なくとも１つのノッチが前記アーチワイヤスロット付近に位置している、請求項１７に記載の歯列矯正ブラケット。
【請求項１９】
前記通路が、前記通路部内に備えられ、前記アーチワイヤスロットに平行であり、少なくとも１つの補助アーチワイヤを収容する少なくとも１つの補助アーチワイヤスロットをさらに含む、請求項１７に記載の歯列矯正ブラケット。
【請求項２０】
前記通路が、前記補助アーチワイヤスロット付近の前記第１の側面および／または前記第２の側面に形成されて、少なくとも１つの追加のＯリングエラスティックを保持する少なくとも１つの追加のノッチをさらに含む、請求項１９に記載の歯列矯正ブラケット。
【発明の詳細な説明】
【技術分野】
【０００１】
本出願は歯列矯正技術に関し、より詳細には矯正用アーチワイヤを受けるように設計された歯列矯正ブラケットに関する。
【背景技術】
【０００２】
歯並びが悪いと、個人の歯の審美性、機能性および健康に悪影響を及ぼし得る。歯列矯正の目的は、機械的な力で歯科機能性および審美性が改善される位置または向きに歯を移動させる器具を使用することにより、歯を正しく配列させることである。
【０００３】
従来の歯列矯正器（braces）は、アーチワイヤおよびブラケットを用いて歯に対し矯正力を生じさせている。アーチワイヤは予め成形されたものであり、歯の表面に固定されたブラケットを介して歯を互いに連結させる。取り付け初期において、アーチワイヤは弾性的に歯並びの悪い歯を受け入れる。アーチワイヤは弾性力を有し、ブラケットを介して歯に力を加え、アーチワイヤの予め成形された形状に歯を位置合わせさせるよう動かす。アーチワイヤは歯に継続的な力を加え、それらを最終位置まで押し動かす。従来のワイヤはリガチャーを用いてブラケットに固定されるもので、強い力が歯に伝わる。セルフライゲーティングブラケット（self-ligating brackets）により、アーチワイヤはブラケットのスロット中でより自由にスライドすることができ、患者への圧力と不快感をより少なく、歯列矯正の歯の移動が達成される
【０００４】
先行技術は、ベースに取り付けられたブラケット本体から構成されるセルフライゲーティングブラケットを開示している。アーチワイヤスロットは、ブラケット本体を横切り、歯肉側および咬合側のタイウィング（tie wings）の間を、近心側（mesial）−遠心側（distally）に延伸する。アーチワイヤスロットは、ベースと反対の方向に、エッジワイズに開口して、アーチワイヤを収容する。ブラケットはさらに、開位置でアーチワイヤの配置と取り外しを可能にすると共に、摺動して定位置でロックし、アーチワイヤスロット中のアーチワイヤを閉位置に維持するロッキングクリップ（locking clip）から構成される。先行技術は、同一の目的を達成させるために設計された様々なロッキングクリップまたはクロージャー（closures）を開示している。
【０００５】
セルフライゲーティングブラケットによるアーチワイヤの取り付けには、ロッキングクリップまたはクロージャの開放および閉鎖を操作するように設計された特殊なツールが必要とされる。通常、アーチワイヤの配置と取り外しは、この作業を単独で行うことのできない患者以外の者（例えば歯科医）によって行われる。かかる操作は、特に舌側ブラケットのケースでは、困難であり得る。ロッキングクリップまたはクロージャは、セルフライゲーティングブラケットの製造において複雑度とコストを増大させる。ロッキングクリップまたはクロージャの構造はまた、ブラケット本体にエッジおよび突起を追加し、このことは患者にさらなる不快感をもたらす。
【発明の概要】
【発明が解決しようとする課題】
【０００６】
ロッキングクリップまたはクロージャの機構（mechanism）を有さない、改善されたブラケットの設計によって、アーチワイヤの取り付け作業をより容易にすることが望まれる。本発明は、セルフライゲーティングブラケットのアーチワイヤ保持特性を残したまま、ブラケットの設計および構築を簡略化することによって先行技術の装置における不備を改善する。
【課題を解決するための手段】
【０００７】
本発明のいくつかの実施形態において、アーチワイヤとの組み合わせで用いて歯に矯正力を加える歯列矯正ブラケットが提供される。歯列矯正ブラケットは、後端面、前端面、第１の側面、第２の側面、および通路を含む。後端面は付着（attachment）に適している。前端面は後端面と対向している。第１の側面は後端面と前端面との間に接続されている。第２の側面は後端面と前端面との間に接続されていると共に、第１の側面と対向している。通路は第１の側面から第２の側面まで延伸する。通路の断面は、アクセス開口、アーチワイヤスロット、通路部、および少なくとも１つの回転部を含む。アクセス開口はアーチワイヤを通路に進入させるように構成されている。アーチワイヤスロットは通路の末端部に形成されてアーチワイヤを収容する。通路部はアクセス開口とアーチワイヤスロットとをつなぐ。回転部は、通路部内に備えられてアーチワイヤにその向きを変えさせるようにする。
【０００８】
本発明のいくつかの実施形態において、アーチワイヤとの組み合わせで用いて歯に矯正力を加える歯列矯正ブラケットが提供される。歯列矯正ブラケットは、後端面、前端面、第１の側面、第２の側面、および通路を含む。後端面は付着に適している。前端面は後端面と対向している。第１の側面は後端面と前端面との間に接続されている。第２の側面は後端面と前端面との間に接続されていると共に、第１の側面と対向している。通路は第１の側面から第２の側面まで延伸する。通路の断面は、アクセス開口、アーチワイヤスロット、および通路部を含む。アクセス開口はアーチワイヤを通路に進入させるように構成されている。アーチワイヤスロットは通路の末端部に形成されてアーチワイヤを収容する。通路部はアクセス開口とアーチワイヤスロットとをつなぎ、かつ弯曲した形状を有している。
【０００９】
本発明のいくつかの実施形態において、アーチワイヤとの組み合わせで用いて歯に矯正力を加える歯列矯正ブラケットが提供される。歯列矯正ブラケットは、後端面、前端面、第１の側面、第２の側面、および通路を含む。後端面は付着に適している。前端面は後端面と対向している。第１の側面は後端面と前端面との間に接続されている。第２の側面は後端面と前端面との間に接続されていると共に、第１の側面と対向している。通路は第１の側面から第２の側面まで延伸する。通路の断面は、アクセス開口、アーチワイヤスロット、通路部、および少なくとも１つのノッチを含む。アクセス開口はアーチワイヤを通路に進入させるように構成されている。アーチワイヤスロットは通路の末端部に形成されてアーチワイヤを収容する。通路部はアクセス開口とアーチワイヤスロットとをつなぐ。少なくとも１つのノッチは、第１の側面および／または第２の側面に形成されて、Ｏリングエラスティックを保持する。
【００１０】
本発明のいくつかの実施形態において、アーチワイヤとの組み合わせで用いて歯に矯正力を加える歯列矯正ブラケットが提供される。歯列矯正ブラケットは、後端面、前端面、第１の側面、第２の側面、および通路を含む。後端面は付着に適している。前端面は後端面と対向している。第１の側面は後端面と前端面との間に接続されている。第２の側面は後端面と前端面との間に接続されていると共に、第１の側面と対向している。通路は第１の側面から第２の側面まで延伸方向に延伸する。通路の断面は、アクセス開口、アーチワイヤスロット、および曲線通路部を含む。アクセス開口はアーチワイヤを通路に進入させるように構成されている。アーチワイヤスロットは通路の末端部に形成されてアーチワイヤを収容する。通路部はアクセス開口とアーチワイヤスロットとをつなぐ。通路部は、徐々に曲がると共にねじれる面により画成された少なくとも１つのねじれ部分をさらに含み、アーチワイヤは、ねじれ部分の曲がると共にねじれる面を通過するのに、通路の延伸方向から離れる方に向きを変えなければならない。
【００１１】
本発明のいくつかの実施形態において、アーチワイヤとの組み合わせで用いて歯に矯正力を加える歯列矯正ブラケットが提供される。歯列矯正ブラケットは、後端面、前端面、第１の側面、第２の側面、および通路を含む。後端面は付着に適している。前端面は後端面と対向している。第１の側面は後端面と前端面との間に接続されている。第２の側面は後端面と前端面との間に接続されていると共に、第１の側面と対向している。通路は第１の側面から第２の側面まで延伸方向に延伸する。通路の断面は、アクセス開口、アーチワイヤスロット、および曲線通路部を含む。アクセス開口はアーチワイヤを通路に進入させるように構成されている。アーチワイヤスロットは通路の末端部に形成されてアーチワイヤを収容する。通路部は、アクセス開口およびアーチワイヤスロットをつなぐ。通路部は、通路部内に形成された突起をさらに含み、アーチワイヤは、通過するためには突起周りに曲げられなければならない。
【図面の簡単な説明】
【００１２】
添付の図面を参照にしながら、以下の詳細な説明および実施例を読むことにより、本発明をより十分に理解することができる。
【図１Ａ】図１Ａは、本発明のいくつかの実施形態による一対の相殺（counteracting：反作用する）ブラケットを示す斜視図である。
【図１Ｂ】図１Ｂは、本発明のいくつかの実施形態による、外面に丸みのある端縁部を有する一対の相殺ブラケットを示す斜視図である。
【図２Ａ】図２Ａは、図１Ａの一対の相殺ブラケットの構造的特徴を示す断面図である。
【図２Ｂ】図２Ｂは、直接アライメントの図２Ａの一対の相殺ブラケットの相殺出口通路方向をベースとしたアーチワイヤスロットエリアを示す断面図である。
【図３Ａ】図３Ａは、直接アライメントの図１Ａの一対の相殺ブラケットのアーチワイヤスロット中のアーチワイヤを示す透視図である。
【図３Ｂ】図３Ｂは、相殺通路によりブロックされる位置にあるアーチワイヤにより直接にアライメントされた図３Ａの一対の相殺 ブラケットのアーチワイヤスロット中にあるアーチワイヤを示す斜視図である。
【図４Ａ】図４Ａは、本発明のいくつかの実施形態による相殺ブラケットの構造的特徴を示す断面図である。
【図４Ｂ】図４Ｂは、本発明のいくつかの実施形態による相殺ブラケットの構造的特徴を示す断面図である。
【図５Ａ】図５Ａは、本発明のいくつかの実施形態による一対の相殺ブラケットの構造的特徴を示す断面図である。
【図５Ｂ】図５Ｂは、直接アライメントの図５Ａの一対の相殺ブラケットの相殺出口通路方向をベースとした有効なアーチワイヤスロットエリアを示す断面図である。
【図６】図６は、本発明のいくつかの実施形態による一対の相殺 ブラケットの構造的特徴を示す側面図である。
【図６Ａ】図６Ａは、本発明のいくつかの実施形態による相殺ブラケット の通路部表面に形成されたねじれ部を概略的に示している。
【図６Ｂ】図６Ｂは、図６Ａにおけるブラケットの異なる高さＬ１およびＬ２で切り取った２つの断面を概略的に示している。
【図７】図７は、本発明のいくつかの実施形態によるＯリングノッチを備えた相殺 ブラケットを示す斜視図である。
【図８】図８は、本発明のいくつかの実施形態による、補助アーチワイヤスロット、四辺上の溝、および補助装置スロットを備えた相殺ブラケットを示す斜視図である。
【図９】図9は、図８に示された相殺 ブラケットにパワーチェーンが装着されているところを概略的に示している。
【図１０】図１０は、傾いた歯を真っ直ぐに正すためにアップライティングスプリングが相殺 ブラケットに取り付けられているところを概略的に示している。
【図１１】図１１は、本発明のいくつかの実施形態による相殺ブラケットの、歯キャップセグメントからなる患者が着脱可能な器具への応用を示す斜視図である。
【発明を実施するための形態】
【００１３】
本発明の目的、特徴および長所を説明するため、以下に本発明の好ましい実施形態および図面を詳細に示す。
【００１４】
以下の詳細な記載において、 “上に（on）”、“上側に（above）”、“下に（under）”、“下側に（below）”、“左側（left）”、および“右側（right）”の向きは、図面中に示された各構成要素の相対位置間の関係を表すのに用いられるものであって、本発明を限定することは意図されていない。
【００１５】
また、第１の、第２の、第３の、第４のなどの用語が、各種構成要素、領域または部分を説明するために以下の詳細な記載において用いられることがあるが、これら構成要素、領域または部分はこれらの用語により限定されるものではない。これらの用語は単に、１つの構成要素、領域または部分を、別の構成要素、領域または部分と区別するために用いられるに過ぎない。よって、本発明の開示から逸脱することなく、以下に述べられる第１の構成要素、領域または部分が、第２の構成要素、領域または部分と称されてもよい。
【００１６】
加えて、本開示では、各種実施例において参照番号および／または文字を繰り返すことがある。この繰り返しは簡潔および明確とするのが目的であって、それ自体で記載された各実施形態および／または構成間の関係を示すものではない。簡潔および明確にする目的のため、各種特徴は異なる縮尺で任意に描かれ得る。
【００１７】
本発明の実施形態は、アーチワイヤをアーチワイヤスロット中に捉えるためのロッキングクリップまたはクロージャを使用しないロッキングシステム（locking system）を備えた歯列矯正ブラケットの設計を開示する。このロッキングシステムは、少なくとも２つの相殺（歯列矯正）ブラケットの配置を要する。図１Ａは、本発明のいくつかの実施形態による一対の相殺（counteracting:反作用する）ブラケットを示す斜視図である。図の上側は咬合方向を示し、図の下側は歯肉方向を示す。一対の相殺ブラケットは、歯肉アクセスブラケット１００および咬合アクセスブラケット２００を含む。
【００１８】
歯肉アクセスブラケット１００は、ベース１０２に接続された本体１０１を含む。ベース１０２は、表面、例えば歯の唇側面または舌側面（図示せず）への付着に適した後端面Ｓ１（限られた視角のため図１Ａでは見えない）を有する。後端面Ｓ１は、例として、接着剤（例えば、光硬化接着剤）により歯の表面に接着され得る。あるいは後端面Ｓ１は、カスタマイズされた設定にて歯に適合する取り付けベースに接着されてよい。本体１０１は、ベース１０２に対向する前端部１０１Ａを有している。前端部１０１Ａは、後端面Ｓ１に対向する滑らかな曲線状の前端面Ｓ２を有している。いくつかの実施形態において、前端面Ｓ２から見たときに、歯肉アクセスブラケット１００は、長方形、正方形、円形、楕円形、菱形、平行四辺形、または盾形（shield shape）に成形されている。
【００１９】
加えて、歯肉アクセスブラケット１００の本体１０１およびベース１０２は、後端面Ｓ１と前端面Ｓ２との間に接続された２つの対向する側面Ｓ３、Ｓ４（限られた視角のため図１Ａでは１つの側面Ｓ３のみ見える）を共有している。いくつかの実施形態において、図１Ｂに示されるように、歯肉アクセスブラケット１００の外面のいくつか（例えば、後端面Ｓ１、前端面Ｓ２、および／または側面Ｓ３、Ｓ４）は、丸みのある端縁部を持つよう設計されて、患者の不快感が最小限にされる。
【００２０】
本体１０１は、その中に形成されていると共に、側面Ｓ３から側面Ｓ４まで延伸してアーチワイヤ３０を収容する通路１０３をさらに含む（図３Ａおよび３Ｂ参照）。通路１０３は、本体１０１の歯肉の方向に向く端部にアクセス開口１０３Ａを形成して、アーチワイヤ３０を通路１０３に進入させる。
【００２１】
いくつかの実施形態において、本体１０１およびベース１０２は同じ材料、例えば金属、金属合金、セラミックス、樹脂、プラスチック、または口腔用途への使用に適した他の材料を含んでいてよい。加えて、本体１０１およびベース１０２は、一体型（one-piece）に一体成形されてよい。例えば、本体１０１およびベース１０２は金属材料で作られていてよく、かつ金属射出成形（ＭＭＡ）により一体型に成形されてよい。あるいは、本体１０１およびベース１０２は、上述した同じまたは異なる材料で個別に製造されてよく、かつ接着剤、溶接、または他の結合方法により組み合わせられてよい。いくつかの別の実施形態において、本体１０１は複数のパーツおよび／または複数の材料を含んでいてもよい。本発明のブラケットは、複数のパーツに作製されてよいが、その本来の機能を実現するように組み立てられる。
【００２２】
同様に、咬合アクセスブラケット２００は、ベース２０２に接続された本体２０１を含む。ベース２０２は、表面、例えば歯の唇側面または舌側面（図示せず）への付着に適した後端面Ｓ１（限られた視角のため図１Ａでは見えない）を有する。後端面Ｓ１は、例として、接着剤（例えば、光硬化接着剤）により歯の表面に接着されてよい。あるいは後端面Ｓ１は、カスタマイズされた設定にて歯に適合する取り付けベースに接着されてよい。本体２０１は、ベース２０２に対向する前端部２０１Ａを有している。前端部２０１Ａは、後端面Ｓ１に対向する滑らかな曲線状前端面Ｓ２を有している。いくつかの実施形態において、前端面Ｓ２から見たときに、咬合アクセスブラケット２００は、長方形、正方形、円形、楕円形、菱形、平行四辺形、または盾形（shield shape）に成形されている。
【００２３】
加えて、咬合アクセスブラケット２００の本体２０１およびベース２０２は、後端面Ｓ１と前端面Ｓ２との間に接続された２つの側面Ｓ３、Ｓ４（限られた視角のため図１Ａでは１つの側面Ｓ３のみ見える）を共有している。いくつかの実施形態において、図１Ｂに示されるように、咬合アクセスブラケット２００の外面のいくつか（例えば、後端面Ｓ１、前端面Ｓ２、および／または側面Ｓ３、Ｓ４）は、丸みのある端縁部を持つように設計されて、患者の不快感が最小限にされる。
【００２４】
本体２０１は、その中に形成されていると共に、側面Ｓ３から側面Ｓ４まで延伸してアーチワイヤ３０を収容する通路２０３をさらに含む（図３Ａおよび３Ｂ参照）。通路２０３は、本体２０１の咬合の方向に向く端部にアクセス開口２０３Ａを形成して、アーチワイヤ３０を通路２０３に進入させるようにする。
【００２５】
咬合アクセスブラケット２００の本体２０１およびベース２０２の材料および作製方法は、歯肉アクセスブラケット１００の本体１０１およびベース１０２と類似するため、ここで繰り返すことはしない。
【００２６】
歯肉アクセスブラケット１００および咬合アクセスブラケット２００は、相殺の組（counteracting set）を形成する。（アーチワイヤの）アクセス方向の指定がなければ、歯肉アクセスブラケット１００または咬合アクセスブラケット２００は相殺ブラケットと称されてよい。いくつかの実施形態において、相殺ブラケットは、唇側ブラケットだけでなく舌側ブラケットとして用いられ得る。以下の段落においてさらに説明する、アーチワイヤを捉える（Entrapment）相殺効果を達成するため、任意の２つの隣接する相殺ブラケットが、歯肉アクセスブラケットが咬合アクセスブラケットと対を成す相殺する対として配置され得る。しかし、いくつかの別の実施形態では、個々のブラケットが、曲線状の通路（図２Ａ参照）、または通路内に形成された少なくとも１つの屈曲（turn）（図４Ｂ参照）のようないくつかの特徴により、追加のロッキングクリップまたはクロージャを用いることなく、アーチワイヤ保持を達成することもできる。
【００２７】
図２Ａは、図１Ａの一対の相殺ブラケットの構造的特徴を示す断面図である。図示されるように、歯肉アクセスブラケット１００の通路１０３の断面は、アクセス開口１０３Ａ、アーチワイヤスロット１０３Ｂ、および曲線状通路部１０３Ｃを含むように設計されている。アクセス開口１０３Ａは、アーチワイヤ３０（図３Ａおよび３Ｂ）を通路１０３に（図中、矢印で示されるように）進入させるように構成されている。アーチワイヤスロット１０３Ｂは通路１０３の末端部に形成されている。曲線状通路部１０３Ｃはアーチワイヤスロット１０３Ｂとアクセス開口１０３Ａとをつなげる。いくつかの実施形態において、曲線状通路部１０３Ｃは、先ずアーチワイヤスロット１０３Ｂから前端部１０１Ａの方へ延伸し、次いで、開口１０３Ａにて歯肉の方向の方へ曲がる前に、ベース１０２の方へカーブして戻る。図２Ａに示されるように、曲線状通路部１０３Ｃは、アーチワイヤ３０が通路部１０３Ｃの長さをたどってアーチワイヤスロット１０３Ｂ中に配置または収容されるようにする幅Ｗを有する。いくつかの実施形態において、通路部１０３Ｃ全体の幅Ｗは一定であるか、または変化する。いくつかの実施形態において、アーチワイヤ３０は、開口１０３Ａに入り、大まかに時計回りまたは反時計回りの方向に曲線状通路部１０３Ｃをたどって、歯肉アクセスブラケット１００のアーチワイヤスロット１０３Ｂ中に入ることができる。
【００２８】
一方、咬合アクセスブラケット２００の通路２０３の断面は、アクセス開口２０３Ａ、アーチワイヤスロット２０３Ｂ、および曲線状通路部２０３Ｃを含むように設計されている。アクセス開口２０３Ａ、アーチワイヤスロット２０３Ｂおよび通路部２０３Ｃの構成、構造および機能は、歯肉アクセスブラケット１００のアクセス開口１０３Ａ、アーチワイヤスロット１０３Ｂおよび通路部１０３Ｃのそれらに類似しているため、ここで繰り返さない。いくつかの実施形態において、アーチワイヤ３０は、開口２０３Ａに入り、大まかに時計回りまたは反時計回りの方向に曲線状通路部２０３Ｃをたどって、咬合アクセスブラケット２００のアーチワイヤスロット２０３Ｂ中に入ることができる。
【００２９】
許容される最大のアーチワイヤのサイズは、アーチワイヤスロット１０３Ｂおよび２０３Ｂのサイズによって決まる。いくつかの実施形態において、図２Ａに示されるように、アーチワイヤスロット１０３Ｂおよび２０３Ｂはいずれも、収容されるアーチワイヤ（図示せず）の断面形状に対応する長方形断面（図中では点で描いた長方形で示されている）を有する。しかし、アーチワイヤスロット１０３Ｂおよび２０３Ｂは、異なる断面形状を有するアーチワイヤを収容することができる。例えば、円形または正方形断面形状のアーチワイヤが、長方形断面を有するアーチワイヤスロット１０３Ｂおよび２０３Ｂ中に収容されてもよい。
【００３０】
いくつかの実施形態において、通路部１０３Ｃ、２０３Ｃの最も狭い部分の幅Ｗは、アーチワイヤの長方形断面の短辺よりも大きいが、長辺よりは小さい。したがって、アーチワイヤが、実質的に固定された向きで（つまり回転することなく）通路部１０３Ｃおよび通路部２０３Ｃを通過できるようになる。また、通路部１０３Ｃおよび２０３Ｃをたどるときにおけるアーチワイヤの過度のねじれが回避され得る。
【００３１】
図２Ｂは、直接アライメントの図２Ａの一対の相殺ブラケットの断面の重なり部分を示している。具体的には、歯肉アクセスブラケット１００のアーチワイヤスロット１０３Ｂが咬合アクセスブラケット２００のアーチワイヤスロット２０３Ｂと位置合わせされている。アーチワイヤ（図示せず）がアーチワイヤスロット１０３Ｂから出るためには、図２Ｂ中の実線矢印で示された出口方向に歯肉アクセスブラケット１００の通路部１０３Ｃを辿る必要がある。しかし、アーチワイヤは、咬合アクセスブラケット２００の通路壁２０３Ｅにより出られないようになっている。一方、アーチワイヤがアーチワイヤスロット２０３Ｂを出るためには、図２Ｂ中の点線矢印で示された出口方向に咬合アクセスブラケット２００の通路部２０３Ｃを辿る必要がある。同様に、アーチワイヤは、歯肉アクセスブラケット１００の通路壁１０３Ｅにより出られないようになっている。その結果、相殺ブラケット１００および２００の断面が直接に位置合わせされているとき、通路壁１０３Ｅおよび２０３Ｅの重なり部分は有効なアーチワイヤスロットエリアを形成する。基本の相殺の一対における隣接する２つのブラケットの組み合わせ効果は、クリップまたはクロージャ機構を使用せずに、アーチワイヤスロット中にアートワイヤを保持する。
【００３２】
図３Ａは、直接アライメントの図１Ａの一対の相殺ブラケットのアーチワイヤスロット中のアーチワイヤを示す斜視図である。図示されるように、取り付け後、アーチワイヤ３０は、歯肉アクセスブラケット１００のアーチワイヤスロット１０３Ｂ中、および咬合アクセスブラケット２００のアーチワイヤスロット２０３Ｂ中に位置し、このうち２つのブラケットは直接位置合わせされている。いくつかの実施形態において、アーチワイヤ３０は熱ニッケル・チタン（thermal Nickel-Titanium, Ｎｉ−Ｔｉ）ワイヤであり、これは室温において可撓性を有し、医師または患者によって容易に取り付けられ得るものである。歯列弓への実際の配置においては、いくつかの隣接するブラケットがカーブに沿って並ぶが、他のブラケットは不規則な位置にある。さらに、ブラケット１００、２００の後端面Ｓ１は、異なる歯の形状に合うように異なる傾斜角および／または形状に設計されていてよいか、または、ブラケット１００、２００の後端面Ｓ１が、歯の表面に適合したカスタマイズされた取り付けベースに付着されてもよく、これによりそれらブラケットが位置合わせされる。
【００３３】
図３Ｂは、アーチワイヤ３０がブラケット１００および２００の前端部１０１Ａおよび２０１Ａの方にシフトする状況を示している。図中に描かれた矢印は、アーチワイヤ３０が通路壁１０３Ｅおよび２０３Ｅに接触していることを示す。その結果、アーチワイヤ３０は通路１０３および２０３から抜け出られないようになり、これにより、クリップまたはクロージャ機構を用いずに、アーチワイヤ捕捉（entrapment）の 効果が達成される。
【００３４】
多数の変形および変更が本開示の実施形態になされ得ることが、理解されなければならない。例えば、図４Ａおよび４Ｂは、いくつかの別の実施形態による相殺ブラケット（説明のために歯肉アクセスブラケット１００が例として用いられている）の各種構造的特徴を示す断面図である。図４Ａに示されるように、通路１０３の通路部１０３Ｃは、断面において直線状となるように設計されており、通路部１０３Ｃとアーチワイヤスロット１０３Ｂとの間に、例えば約９０度である角度αが形成されている（つまり、直線状の通路部１０３Ｃはアーチワイヤスロット１０３Ｂに実質的に垂直になるよう設計されている）。しかし、角度αは他の利用可能な角度（例えば、約３０度より大きい）であってもよい。図４Ｂに示されるように、通路１０３の通路部１０３Ｃは、断面に少なくとも１つの屈曲（turn）または曲折（bending）の設計を含むようにデザインされている。通路部１０３Ｃに備えられる１つの屈曲または複数の屈曲は、収容されたアーチワイヤが自発的に、通路１０３から容易に抜け出ないようにする。
【００３５】
図５Ａは、いくつかの別の実施形態による一対の相殺ブラケットの構造的特徴を示す断面図である。図示されるように、図２Ａに示された実施形態と比較して、歯肉アクセスブラケット１００の通路１０３の断面は、曲線状通路部１０３Ｃ内に備えられた回転部１０３Ｄをさらに含み、咬合アクセスブラケット２００の通路２０３の断面は、曲線状通路部２０３Ｃ内に備えられた回転部２０３Ｄをさらに含んでいる。いくつかの実施形態において、回転部１０３Ｄ、２０３Ｄは図５Ａに示されるように断面において円形であってよいが、本発明はこれに限定はされない。
【００３６】
回転部１０３Ｄおよび２０３Ｄは、アーチワイヤ３０がアーチワイヤスロット１０３Ｂおよび２０３Ｂに進入する前に回転してその向きを変えることができるように構成されている（図に描かれた通路１０３および２０３内の点線の丸は、アーチワイヤ３０が回転部１０３Ｄおよび２０３Ｄ内で回転し得ることを表している）。いくつかの実施形態において、アーチワイヤ３０がその向きを変えることのできるように、回転部１０３Ｄの幅Ｗ’（例えば、円形の回転部１０３Ｄの直径）は通路部１０３Ｃの（最大の）幅Ｗよりも大きく、かつ回転部２０３Ｄの幅Ｗ’（例えば、円形の回転部２０３Ｄの直径）は通路部２０３Ｃの（最大の）幅Ｗよりも大きい。加えて、回転部１０３Ｄはアーチワイヤスロット１０３Ｂ付近、または通路部１０３Ｃの任意の位置に位置していてよく、回転部２０３Ｄはアーチワイヤスロット２０３Ｂ付近、または通路部２０３Ｃの任意の位置に位置していてよい。
【００３７】
いくつかの別の実施形態では、図６に示されるごとく、アーチワイヤ３０が回転してその向きを変えることのできるように、歯肉アクセスブラケット１００の通路１０３の断面は、通路部１０３Ｃ内に離間して形成された複数の（例えば、２つまたは２つより多い）回転部１０３Ｄをさらに含んでいてよく、咬合アクセスブラケット２００の通路２０３の断面は、通路部２０３Ｃ内に離間して形成された複数の（例えば、２つまたは２つより多い）回転部２０３Ｄをさらに含んでいてよい。
【００３８】
したがって、医師または患者は手動で、アーチワイヤ３０のセグメントを回転部１０３Ｄおよび２０３Ｄにてそれらの元の向きに回すことができ、これによって、アーチワイヤ３０がアーチワイヤスロット１０３Ｂおよび２０３Ｂに進入する前に、ねじれによりアーチワイヤ３０にかかる応力が解放される。  
【００３９】
回転部１０３Ｄおよび２０３Ｄの上記設計は、上述した実施形態と統合させることもできるという点が理解されなければならない。一方、ブラケット１００、２００の通路部１０３Ｃ、２０３Ｃ内に回転部が備えられていないケース（例えば、図２Ａから４Ｂに示される実施形態）では、通路部１０３Ｃ、２０３Ｃは、アクセス開口１０３Ａ、２０３Ａからアーチワイヤスロット１０３Ｂ、２０３Ｂまで通路部１０３Ｃ、２０３Ｃに沿って通るときにアーチワイヤ３０がその向きを自由に変えることのできるだけの十分な幅を持つように設計されてもよい（つまり、十分な幅を有する通路部１０３Ｃ、２０３Ｃも、回転部の機能を達成することができる）。
【００４０】
加えて、図６に示されるように、通路１０３の通路壁１０３Ｅおよび通路２０３の通路壁２０３Ｅはそれぞれ、通路１０３および通路２０３の延伸方向（つまり、図に示される紙面内への方向）に対し傾いた部分を少なくとも１つ有し、凹凸面（uneven surface）１０３Ｆ、２０３Ｆを形成していてよい。凹凸面１０３Ｆ、２０３Ｆは、アーチワイヤ３０がねじれるよう操作されることを要し、これにより、アーチワイヤ３０が通路１０３、２０３のこのセクションを通り抜ける難度が高くなって、アーチワイヤが自発的に、通路１０３、２０３から容易に抜け出ないようになる。
【００４１】
図６Ａおよび６Ｂに示される本発明のいくつかの実施形態では、弯曲している通路部２０３Ｃは、通路２０３の延伸方向Ｅと実質的に平行である通路部面に隣接する、徐々に曲がると共にねじれる面２０３Ｔにより画成されたねじれ部分をさらに含み、通路２０３は、歯列矯正ブラケットの第１の側面から第２の側面に延伸している。図６Ａおよび６Ｂを参照すると、丸いアーチワイヤ３０Ａが通路２０３に進入するとき、それは延伸方向Ｅと平行になる。アーチワイヤ３０Ａが、徐々に曲がると共にねじれる面２０３Ｔにより画成されたねじれ部分に入ると、アーチワイヤ３０Ａは、図示された実線矢印で示される１方向へ向きを変え始める。図６Ｂは、図６Ａ中のそれぞれ異なる高さＬ１およびＬ２で切り取った２つの断面を示している。アーチワイヤ３０Ａがねじれ部分の端部に到達すると、アーチワイヤ３０Ａは、向きが戻って延伸方向Ｅに平行となり、アーチワイヤスロットに入ることができる。アーチワイヤ３０Ａが延伸方向Ｅに平行になると、アーチワイヤ３０Ａはアーチワイヤスロットおよび通路から抜け出すことができないようになる、という点に留意されたい。アーチワイヤ３０Ａは、抜け出るためには、実線の矢印で示される１方向に向きを変えなければならない。
【００４２】
本発明のいくつかの実施形態では（図５Ａ参照）、少なくとも１つの突起Ｐがブラケット１００、２００の通路部１０３Ｃ、２０３Ｃの側面に形成され、かつ少なくとも１つのくぼみＲが通路部１０３Ｃ、２０３Ｃの他の側面に形成されて突起Ｐに対応する。アーチワイヤ３０の取り付け時、医師または患者は、アーチワイヤ３０を、ブラケット１００、２００の突起Ｐの周囲を回るように操作して、アーチワイヤスロット１０３Ｂ、２０３Ｂに進入させることができる。突起Ｐは、アーチワイヤスロット１０３Ｂ、２０３Ｂ中に収容されたアーチワイヤ３０が自発的に通路１０３、２０３から容易に抜け出せないように構成されている。いくつかの実施形態において、突起Ｐは、ブラケット１００、２００の側面Ｓ３、Ｓ４付近、または側面Ｓ３およびＳ４の間（図１Ａ）に位置するバンプ（bump）または島状構造（island structure）であってよい。いくつかの別の実施形態において、通路部１０３Ｃおよび／または２０３Ｃは複数の突起Ｐを有していてよい。
【００４３】
図５Ｂは、直接アライメントの図５Ａの一対の相殺ブラケットの断面の重なり部分を示しており、ここでは、別の突起Ｐ１も、通路部１０３Ｃおよび２０３Ｃ内に備えられ、かつアーチワイヤスロット１０３Ｂ、２０３Ｂと回転部１０３Ｄ、２０３Ｄとの間に位置することで、通路壁１０３Ｅおよび２０３Ｅにより形成される有効なアーチワイヤスロットエリアのサイズが縮小され、これにより、追加のロッキングクリップまたはクロージャを用いることなく、アーチワイヤ３０が有効なアーチワイヤスロットエリアの範囲内によく制限され得るようになる。上記の突起Ｐおよび／または突起Ｐ１の設計は、上述した本発明の他の実施形態と統合させることもできるという点が理解されなければならない。
【００４４】
図７は、いくつかの別の実施形態によるＯリングノッチの特徴を備える相殺ブラケット（説明のために咬合アクセスブラケット２００が例として用いられている）を示す斜視図である。図示されるように、一対のＯリングノッチ２２２が、前端面Ｓ２付近の前端部２０１Ａの側面Ｓ３およびＳ４に形成される。その代わりに、または、加えて、別の一対のＯリングノッチ２２２（図示せず）が、通路壁２０３Ｅ付近の前端部２０１Ａの側面Ｓ３およびＳ４に形成されてよい。ゴムＯリングのようなＯリングエラスティック（elastic）Ｏは、Ｏリングノッチ２２２によって容易に保持され得る。
【００４５】
いくつかの別の実施形態において、図７に示されるように、Ｏリングノッチ２２２はアーチワイヤスロット２０３Ｂ付近に位置している。ＯリングエラスティックＯをこの位置に取り付けることにより、通路２０３中にさらなる障壁が作り出されて、アーチワイヤ（図示せず）がアーチワイヤスロット２０３Ｂ中に保持される。この特徴によって、相殺ブラケットが、単一のブラケットの用途に使用され得るようになる。また、相殺ブラケットの歯列弓への配置は、隣接するブラケット間の厳しい位置（または高さ）の相違という状況に直面することがあり、アーチワイヤスロット２０３Ｂ中へのアーチワイヤの捕捉（entrapment）を確実とすることがＯリングエラスティックＯに求められる。ＯリングエラスティックＯがＯリングノッチ２２２に保持されてアーチワイヤがアーチワイヤスロット２０３Ｂから抜け出せないようにできさえすれば、Ｏリングノッチ２２２は、複数のブラケットを有する他の構成においても相殺ブラケットの配置を可能にする、という点も理解されなければならない。
【００４６】
図８は、いくつかの別の実施形態による、補助アーチワイヤスロット、四辺上の溝、および補助装置スロットを含む追加の特徴を備える相殺ブラケット（説明のために咬合アクセスブラケット２００が例として用いられている）を示す斜視図である。図示されるように、咬合アクセスブラケット２００は、アーチワイヤスロット２０３Ｂに加えて、（図中の点線の長方形によって示される）補助アーチワイヤスロット２２６を含む。補助アーチワイヤスロット２２６は、通路２０３の通路部２０３Ｃ内に形成され、アーチワイヤスロット２０３Ｂに平行となっており、補助アーチワイヤ（簡潔および明確とする目的で図中には示していない）を収容する。いくつかの実施形態において、補助アーチワイヤスロット２２６はアーチワイヤスロット２０３Ｂと類似する構造とサイズを有している、および／または、補助アーチワイヤはアーチワイヤ３０と類似する構造とサイズを有している（図３Ａ−３Ｂ）。例えば、補助アーチワイヤスロット２２６は、舌側ブラケットの場合、補助アーチワイヤを取り付けられるようにし、犬歯と第１小臼歯間の位置（または高さ）のオフセット（offset）を補償することができる。あるいは、補助アーチワイヤスロット２２６は、ブラケット本体内の、通路２０３およびアーチワイヤスロット２０３Ｂから離れた位置に形成されてよい。
【００４７】
補助アーチワイヤを補助アーチワイヤスロット２２６中に保持するため、２つのＯリングエラスティックＯ（簡潔および明確とする目的で図中には示していない）が、補助アーチワイヤスロット２２６付近のＯリングノッチ２２２（例えば、補助アーチワイヤスロット２２６上方の一対のＯリングノッチ２２２および補助アーチワイヤスロット２２６下方の別の一対のＯリングノッチ２２２）中に取り付けられてよい。しかしながら、多数の変形および変更が本開示の実施形態になされ得ることが、理解されなければならない。
【００４８】
引き続き図８を参照すると、咬合アクセスブラケット２００は、咬合アクセスブラケット２００の対向する（咬合および歯肉の方向に向いている）端部に形成され、アーチワイヤスロット２０３Ｂと平行であり、かつアーチワイヤスロット２０３Ｂと後端面Ｓ１との間に位置して、一般に歯列矯正治療に用いられるパワーチェーンエラスティックＰＣ（図９参照）を収容または保持する２つのパワーチェーン（power chain）溝２２４をさらに含む。その代わりに、または、加えて、咬合アクセスブラケット２００は、側面Ｓ３、Ｓ４に形成され、かつアーチワイヤスロット２０３Ｂと後端面Ｓ１との間に位置して、パワーチェーンエラスティックＰＣを収容または保持する２つのパワーチェーン溝２２５をさらに含んでいてよい（限られた視角のため図８では側面Ｓ３に形成された１つのパワーチェーン溝２２５しか見えない）。いくつかの実施形態において、パワーチェーン溝２２４および２２５は、別のタイプの歯列矯正エラスティックを収容するのに用いられてもよい。パワーチェーン溝２２４および／または２２５は、後端面Ｓ１に近いアーチワイヤスロット２０３Ｂから一定の距離で配置され、これにより、取り付けられたパワーチェーンがアーチワイヤスロット２０３Ｂ中のアーチワイヤに接触しないようになる、という点に留意すべきである。
【００４９】
図８に示されるように、咬合アクセスブラケット２００は、その中に形成される補助装置スロット２２８をさらに含む。いくつかの実施形態において、補助装置スロット２２８は、咬合アクセスブラケット２００の端部（例えば、咬合アクセスブラケット２００のアクセス開口２０３Ａ付近の端部）からその内部に延伸する、または、さらに咬合アクセスブラケット２００の反対側の端部へさらに延伸する。また、補助装置スロット２２８は、アーチワイヤスロット２０３Ｂの後方または前方に一定の距離で配置されてよく、それは、補助装置を歯列矯正ブラケットに取り付ける手段を提供する。１つの応用は、アップライティングスプリングＴＳによる力をアーチワイヤ３０および連結されたブラケット（図示せず）に加えるように、アップライティングスプリング（uprighting spring）ＴＳを補助装置スロット２２８に取り付け（図１０参照）、これにより、傾いた歯または複数の歯を真っ直ぐに正すというものである。アップライティングスプリングＴＳは歯列矯正に一般的に使われており、よってさらなる説明はしない。補助装置スロット２２８中に収容されるアップライティングスプリングＴＳはアーチワイヤスロット２０３Ｂ中のアーチワイヤに接触または影響しない、という点に留意すべきである。いくつかの実施形態では、パワーチェーン溝２２４下方に、補助装置スロット２２８を穿通させるに十分な厚さで延伸ベース部分が形成され、補助装置スロット２２８はパワーチェーン溝２２４の下方を通る。
【００５０】
固定される歯列矯正装置の応用に加え、上述した相殺ブラケットは、患者が着脱可能な器具に用いられてもよい。図１１は、本発明のいくつかの実施形態による、歯キャップセグメントから構成される患者が着脱可能な器具への相殺ブラケットの応用を説明する斜視図である。図示されるように、器具は、第１の定着セグメント（anchorage segment）４１、第２の定着セグメント４２、およびアップライティング歯キャップ４０を含む３つの歯キャップセグメントを含んでいる。アップライティング歯キャップ４０は、アップライティングの矯正を要する歯Ｕに装着される。第１の定着セグメント４１および第２の定着セグメント４２は、歯キャップセグメント表面に固定された数個の相殺ブラケット１００および２００をそれぞれ有する。アップライティング歯キャップ４０は、アップライティング歯キャップ表面に固定された相殺ブラケット１００または２００を有する。任意の一対の隣接する相殺ブラケット１００および２００は、上述したような相殺出口通路を有するという点が理解されなければならない。
【００５１】
器具装着の手順は次のとおりである。先ず、アップライティング歯キャップ４０、第１および第２の定着セグメント４１および４２を、アーチワイヤが取り付けられていない歯列弓Ｄに装着する。次に、アーチワイヤ３０のセグメントをアップライティング歯キャップ４０、第１および第２の定着セグメント４１および４２の相殺ブラケット１００および２００に取り付ける。相殺ブラケットのために、アーチワイヤの取り付けが患者により容易に行われ得る。いくつかの実施形態において、歯キャップセグメント４０、４１、および４２は、アライナー、リテイナーまたはポジショナーのセグメントからなっていてよい。
【００５２】
上述したように、本開示の相殺ブラケットは、構造、使い勝手の良さ、および患者の不快感に関して、従来のセルフライゲーティングブラケットに改良を加えている。相殺ブラケットは、ロッキングクリップまたはクロージャ機構のない簡略化された設計を有する。歯科の専門家は、極めて小さいロッキングクリップまたはクロージャ機構を操作するという困難な仕事から解放される。最終的に、ロッキングクリップまたはクロージャ機構の余分なエッジおよび突起を除去することで、シンプルかつ使い勝手の良いブラケットが、平滑な表面および丸みのある端縁部をもって作り出され、これにより患者の不快感が軽減される。別の態様では、使い勝手の良さにより、相殺ブラケットは、患者が着脱可能な器具にも適用できるようになる。
【００５３】
本開示の実施形態およびそれらの優れた点を詳細に記載したが、添付の特許請求の範囲により定義された本開示の精神および範囲を逸脱することなく、様々な変形、置換および変更をここに加えることができる、という点が理解されなければならない。例えば、本明細書に記載した特徴、機能、プロセス、および材料の多くが、依然本開示の範囲内で変更可能であるということが、当業者には容易に理解されるであろう。また、本出願の範囲は、本明細書に記載したプロセス、機械、製造物、組成物、手段、方法、および工程の特定の実施形態に限定されることが意図されていない。本開示の開示から、当業者は、本明細書に記載された対応する実施形態と実質的に同じ役目を果たすか、または実質的に同じ結果を達成する、現在存在するかまたは後に開発されるプロセス、機械、製造物、組成物、手段、方法、もしくは工程が、本開示にしたがって利用可能であるということを容易に理解するであろう。したがって、添付の特許請求の範囲は、それらの範囲内にかかるプロセス、機械、製造物、組成物、手段、方法、または工程を含むように意図されている。加えて、各請求項は、独立した実施形態を構成し、各種請求項および実施形態の組み合わせは、本開示の範囲内に入る。
【符号の説明】
【００５４】
１００…歯肉アクセスブラケット
１０１…本体
１０１Ａ…前端部
１０２…ベース
１０３…通路
１０３Ａ…アクセス開口
１０３Ｂ…アーチワイヤスロット
１０３Ｃ…通路部
１０３Ｄ…回転部
１０３Ｅ…通路壁
１０３Ｆ…凹凸面
２００…咬合アクセスブラケット
２０１…本体
２０１Ａ…前端部
２０２…ベース
２０３…通路
２０３Ａ…アクセス開口
２０３Ｂ…アーチワイヤスロット
２０３Ｃ…通路部
２０３Ｄ…回転部
２０３Ｅ…通路壁
２０３Ｆ…凹凸面
２０３Ｔ…徐々に曲がると共にねじれる面
２２２…Ｏリングノッチ
２２４…パワーチェーン溝
２２５…パワーチェーン溝
２２６…補助アーチワイヤスロット
２２８…補助装置スロット
３０、３０Ａ…アーチワイヤ
４０…アップライティング歯キャップ
４１…第１の定着セグメント
４２…第２の定着セグメント
Ｄ…歯列弓
Ｅ…延伸方向
Ｌ１、Ｌ２…高さ
Ｏ…Ｏリングエラスティック
Ｕ…歯
Ｐ…突起
Ｐ１…突起
Ｒ…くぼみ
Ｗ…幅
Ｗ’…幅
ＰＣ…パワーチェーン
ＴＳ…アップライティングスプリング
Ｓ１…後端面
Ｓ２…前端面
Ｓ３…側面
Ｓ４…側面
α…角度
【図１Ａ】
2019072474.tif 000003
【図１Ｂ】
2019072474.tif 000004
【図２Ａ】
2019072474.tif 000005
【図２Ｂ】
2019072474.tif 000006
【図３Ａ】
2019072474.tif 000007
【図３Ｂ】
2019072474.tif 000008
【図４Ａ】
2019072474.tif 000009
【図４Ｂ】
2019072474.tif 000010
【図５Ａ】
2019072474.tif 000011
【図５Ｂ】
2019072474.tif 000012
【図６】
2019072474.tif 000013
【図６Ａ】
2019072474.tif 000014
【図６Ｂ】
2019072474.tif 000015
【図７】
2019072474.tif 000016
【図８】
2019072474.tif 000017
【図９】
2019072474.tif 000018
【図１０】
2019072474.tif 000019
【図１１】
2019072474.tif 000020
【外国語明細書】
2019072474000001.pdf